(57)【要約】【課題】簡単に増設でき且つ高さ調整が自在な竿取付具を備えた簡易建物を提供する。【解決手段】本発明にかかる簡易建物１は、左右の柱７、７と、各柱７に固定する竿取付具９とを備えている。竿取付具９は、台座１７と、竿保持具１９と、裏板２１と、ボルト２３からなり、台座１７は上下方向に設けた取付片３１と、上下に間隔をあけて設けた複数の係止孔３９とを有し、竿保持具１９と裏板２１は台座１７の取付片３１を挟んでボルト２３で固定され且つ上下方向にスライド自在に取り付けてあり、ボルト２３を所定の係止孔３９に係止して竿保持具１９を台座１７に固定してある。【選択図】図１
2018119276.tif 000002
【特許請求の範囲】
【請求項１】
左右の柱と、各柱に固定する竿取付具とを備え、竿取付具は、台座と、竿保持具と、裏板と、ボルトからなり、台座は上下方向に設けた取付片と、上下に間隔をあけて設けた複数の係止孔とを有し、竿保持具と裏板は台座の取付片を挟んでボルトで固定され且つ上下方向にスライド自在に取り付けてあり、ボルトを所定の係止孔に係止して竿保持具を台座に固定してあることを特徴とする簡易建物。
【発明の詳細な説明】
【技術分野】
【０００１】
本発明は、簡易建物に関する。
【背景技術】
【０００２】
非特許文献１には、柱に対して竿保持具を角度調整自在に取り付けた竿取付具を備える簡易建物が開示されている。
【先行技術文献】
【非特許文献】
【０００３】
【非特許文献１】第２１頁「三協アルミ  エクステリア建材  ウォールエクステリアカタログ  ＷＥＸ／ＷＡＬＬＥＸＴＥＲＩＯＲ  ２０１６→２０１７」カタログＮｏ．ＳＴＷ０４１８Ａ  三協立山株式会社  三協アルミ社  ２０１６年  ３月発行
【発明の概要】
【発明が解決しようとする課題】
【０００４】
しかし、布団等の重たいものを干す場合等にも簡単に増設できて且つ使用者等の高さに合わせて高さ調整が自在な竿取付具を備える簡易建物が望まれていた。
【０００５】
そこで、本発明は、簡単に増設でき且つ高さ調整が自在な竿取付具を備えた簡易建物の提供を目的とする。
【課題を解決するための手段】
【０００６】
請求項１に記載の発明は、左右の柱と、各柱に固定する竿取付具とを備え、竿取付具は、台座と、竿保持具と、裏板と、ボルトからなり、台座は上下方向に設けた取付片と、上下に間隔をあけて設けた複数の係止孔とを有し、竿保持具と裏板は台座の取付片を挟んでボルトで固定され且つ上下方向にスライド自在に取り付けてあり、ボルトを所定の係止孔に係止して竿保持具を台座に固定してあることを特徴とする簡易建物である。
【発明の効果】
【０００７】
請求項１に記載の発明によれば、左右の柱に、台座を取り付けることで簡単に竿取付具を増設できる。また、竿保持具と裏板で台座の取付片を挟んで上下にスライドし、所定位置にスライドしたところでボルトを係止孔に係止することで高さ調整が自在にできる。
【図面の簡単な説明】
【０００８】
【図１】簡易建物の構成を示す図であり、（ａ）は内側から見た正面図、（ｂ）は（ａ）に示すＢ−Ｂ断面図、（ｃ）は（ａ）に示すＣ−Ｃ断面図である。
【図２】竿取付具の図であり、（ａ）は分解斜視図、（ｂ）は台座に竿保持具をスライド自在に取り付けた状態を示す斜視図、（ｃ）は（ｂ）に示すＥ−Ｅ断面を上から見た断面図である。
【図３】竿保持具の図であり、（ａ）は側面図、（ｂ）は正面図である。
【図４】竿取付具を左右の柱に取り付ける前の状態を示す斜視図である。
【図５】竿取付具に装着した竿に小口キャップを取り付ける前の状態を示す斜視図である。
【図６】本発明の簡易建物の図であり、（ａ）は外側から見た正面図であり、（ｂ）は側面図である。
【発明を実施するための形態】
【０００９】
以下に、添付図面を参照して本発明の実施の形態を説明する。  
図６に示すように、本実施の形態にかかる簡易建物１は、躯体３に設置されるテラスである。躯体３は掃出し窓５を備える外壁である。  
簡易建物１は、左右の柱７、７と、各柱７、７に固定する竿取付具９とを備えている。
各柱７、７は、屋根１１の前側を支持しており、上端が屋根１１の桁１３に固定されている。  
竿取付具９は、布団干し用の竿１５を取り付けるものであり、左右の各柱７に略同じ高さで固定されている。  
各竿取付具９は、略同じ構成であるから、以下の説明では一方の柱７に取り付ける竿取付具９についてのみ説明する。  
【００１０】
図１及び図２に示すように、竿取付具９は、台座１７と、竿保持具１９と、裏板２１と、ボルト２３とを備えている。  
台座１７は上下方向に長く形成していると共に中空Ｓを有し、中空Ｓの柱７側には柱７に当接する底部２５が設けてあり、底部２５に中空Ｓを介して対向する側には竿保持具１９を取り付ける基台２７が設けてある。  
基台２７には裏板２１が配置される上下に長い溝２９が形成されている。溝２９の開口には溝２９を狭めるように左右から対向する側に突設した取付片３１、３１が設けてある。  
また、図４に示すように、台座１７においてその上端部と下端部とには、基台２７の溝底２９ａと底部２５とに連通するねじ挿通孔３３が形成されている。このねじ挿通孔３３は台座１７を柱７に取り付けるための孔であり、図４に示すように、ねじ挿通孔３３に挿通されるねじ３５を、柱７の内側面７ａに埋め込まれたターンナット３７に螺合して台座１７が柱７に固定されている。  
【００１１】
図２に示すように、台座１７の溝底２９ａには、その上端部と下端部とに形成したねじ挿通孔３３、３３間に、ボルト２３の軸２３ａを係止する係止孔３９が所定の位置で上下に複数形成されている。係止孔３９はボルト２３の軸２３ａが挿入される孔である。台座側目印４２（後述する）を挟んで上下に隣り合う係止孔３９は、竿保持具１９に形成されている上下のボルト軸挿通孔４７（後述する）の間隔と同じ間隔Ｗとしてある。
基台２７の表面には、溝２９の左右に台座側目印４２が形成してある。台座側目印４２は、上下に所定間隔をあけて複数設けてある。各台座側目印は、水平方向に形成した溝条である。  
ボルト２３は、手の指で締め付け自在なサムスクリューボルトである。  
尚、台座１７の上端と下端にはそれぞれ端部キャップ５１がねじ５５で固定されている。  
【００１２】
図２及び図３に示すように、竿保持具１９には、上下に設けたボルト装着部４３と、ボルト装着部４３、４３間で竿１５を保持する竿保持部４５とが一体に形成されている。
ボルト装着部４３には、各々ボルト２３の軸２３ａを挿通するボルト軸挿通孔４７が形成されている。  
竿保持部４５には、左右方向から竿１５を通して保持する竿保持孔４９が形成されている。  
竿保持部４５には、竿保持孔４９の内周面で台座１７側に竿保持具側目印４８が形成されている。竿保持具側目印４８は左右方向の溝条である。  
【００１３】
竿保持具１９の上下のボルト装着部４３、４３と裏板２１は、台座１７の左右の取付片３１、３１を挟んで上下のボルト２３、２３で止めてあり、竿保持具１９は裏板２１と共に台座１７を溝２９に沿って上下にスライド自在である。  
そして、図１に示すように、竿保持具１９は所定位置でボルト２３、２３の軸２３ａを台座１７の溝底２９ａに形成された係止孔３９に挿入されて係止してある。  
尚、図１に示すように、竿１５には両端に小口キャップ１５ｂが取り付けてある。  
【００１４】
次に、簡易建物１の施工について説明する。  
図６に示すように、左右の柱７、７を各々立設し、柱７、７と躯体３の間に屋根１１を施工する。柱７、７の上端は、屋根１１の桁１３に固定する。  
次に、図２に示すように、竿取付具９を組み立てる。竿取付具９の組み立ては、図２（ａ）に示すように、台座１７の溝２９に裏板２１を上から挿入し、溝２９の左右に設けてある取付片３１を裏板２１と共同して挟むように竿保持具１９を配置し、竿保持具１９の上下に設けた各ボルト装着部４３にボルト２３の軸２３ａを挿通して、裏板２１に螺合するが、裏板２１を貫通して軸２３ａの先端が裏板２１から飛び出さない程度に螺合して、裏板２１と竿保持具１９を締め付ける。尚、台座１７の上下端では端部キャップ５１をねじ５５で止める。  
図２（ｂ）（ｃ）に示すように、ボルト２３で裏板２１と竿保持具１９を締め付けた状態では、竿保持具１９は裏板２１と共に上下に移動自在としてある。そして、図４に示すように、台座側目印４２を、一番上にある竿保持具側目印４８と一致する位置に配置して、ボルト２３を更に締め付けて、ボルト２３の軸を台座１７の溝底２９ａに形成してある係止孔３９に係止する。これにより、竿保持具１９を台座１７に対して動かない。  
【００１５】
次に、左右の各柱７、７には、その内側面７ａの所定位置に孔をあけてターンナット３７を埋め込む。そして、各ターンナット３７にねじ３５で竿取付具９の台座１７を固定する。  
図５に示すように、竿１５は、小口キャップ１５ｂを外して竿保持具１９の竿保持孔４９に挿通した後、竿１５の端に小口キャップ１５ｂを装着する。  
【００１６】
次に、竿１５の高さ調整について説明する。  
竿１５において、左右の小口キャップ１５ｂを外し、左右の各竿保持具１９から竿１５を抜き取る。  
その後、左右の各竿取付具９の一方について、上下の各ボルト２３を緩めて台座１７の溝底２９ａに形成されている係止孔３９からボルト２３の軸２３ａを外して、図２（ｂ）に示すように、竿保持具１９を裏板２１と共に上下動自在な状態にする。  
次に、任意の位置に竿保持具１９を移動して、竿保持具側目印４８を台座側目印４２に合わせる。この位置で、竿保持具１９のボルト軸挿通孔４７は、台座１７の溝底に形成してある係止孔３９と一致するので、その位置で上下いずれか一方のボルト２３を締め付けてボルト２３の軸２３ａを係止孔３９に挿入することにより係止する。同様に、他方のボルト２３も締め付けてボルト２３の軸２３ａを係止孔３９に係止する。  
そして、左右の竿取付具の他方についても、一方の台座側目印４２と同じ高さの台座側目印４２に竿保持具側目印４８を合わせて、竿保持具１９を台座１７に固定する。  
以上のようにして、左右の各竿保持具１９の位置を合わせた後、各竿保持具１９の竿保持孔４９に竿１５を挿入し、竿１５の各端に小口キャップ１５ｂを装着する。  
【００１７】
次に、簡易建物１の作用効果を説明する。  
本実施の形態にかかる簡易建物１よれば、左右の柱７、７に、台座１７を取り付けることで簡単に竿取付具９を増設できる。また、竿保持具１９と裏板２１で台座１７の取付片３１、３１を挟んで上下にスライドし、所定位置にスライドしたところでボルト２３を係止孔３９に係止することで高さ調整が自在にできる。  
竿保持具１９には竿保持具側目印４８を設けており、台座１７には複数の台座側目印４２を設けて、竿保持具１９をスライドして竿保持具側目印４８を台座側目印４２に合わせた位置で、竿保持具１９と裏板２１を止めているボルト２３の軸２３ａが台座１７の係止孔３９に一致する構成としてあるから、高さ調整が容易にできる。  
左右の竿取付具９において、竿保持具１９を固定するボルト２３は、サムスクリューボルトであるから、手で容易にボルト２３を緩めたり締め付けたりできるので、竿保持具１９の位置変更が治具を用いないで簡単にできる。  
【００１８】
本発明は、上述した実施の形態に限らず、本発明の要旨を逸脱しない範囲で種々変形可能である。  
例えば、簡易建物１は、カーポートやサンルーム等であってもよく、簡易建物の目的や種類は制限されない。  
【符号の説明】
【００１９】
１    簡易建物
７    柱
９    竿取付具
１５  竿
１７  台座
１９  竿保持具
２１  裏板
２３  ボルト
３１  取付片
【図１】
2018119276.tif 000003
【図２】
2018119276.tif 000004
【図３】
2018119276.tif 000005
【図４】
2018119276.tif 000006
【図５】
2018119276.tif 000007
【図６】
2018119276.tif 000008